(57)【要約】【課題】カメラに写真フィルムが装填されると、その写真フィルムの感度がＩＳＯ８００未満であるかＩＳＯ８００以上であるかを判断し、かつフィルム感度を判断するための構造を簡略化する。【解決手段】フィルム感度検知機構３０は、電気接点３４，３６，３８をＣＡＳコード部２６のコード領域Ｅ２，Ｅ３，Ｅ４にそれぞれ圧接させ、第２コード領域Ｅ２及び第３コード領域Ｅ３の少なくとも一方が導通領域であって、かつ第４コード領域Ｅ４も導通領域である場合にのみ、撮影時に直流電源５２により直流電流を供給してアクチュエータ４０をオン状態とし、絞り機構４２を高フィルム感度に適応するＨレベルとする。それ例外の場合には、撮影時に直流電源５２による電流供給を停止してアクチュエータ４０をオフ状態とし、絞り機構４２を低フィルム感度に適応するＬレベルに保持する。【選択図】　図５
2004038057.tif 000002
【特許請求の範囲】
【請求項１】
写真フィルムをパトローネ内に収容したフィルムパッケージが装填可能とされたカメラに用いられ、該カメラに装填された写真フィルムのフィルム感度をパトローネに設けられたＣＡＳコード部にアクセスして検知するフィルム感度自動検知装置であって、
フィルムパッケージがカメラに装填されると、前記ＣＡＳコード部に軸方向に沿って配列された第１番目から第６番目のコード領域のうち、パトローネからのフィルム巻取軸の突出端側から数えて第２番目、第３番目及び第４番目の第２コード領域、第３コード領域及び第４コード領域にそれぞれ接するように設置された第１、第２及び第３電気接点と、
前記第１電気接点及び前記第２電気接点の双方に導通した共通導電部と、
前記共通導電部と前記第３電気接点との導通状態を判断して、前記共通導電部と前記第３電気接点とが非導通である場合には、ＩＳＯ８００未満のフィルム感度に対応する低感度検知状態となり、前記共通導電部と前記第３電気接点とが導通している場合には、ＩＳＯ８００以上のフィルム感度に対応する高感度検知状態となる感度検知手段と、
を有することを特徴とするフィルム感度自動検知装置。
【請求項２】
写真フィルムをパトローネ内に収容したフィルムパッケージが装填可能とされたカメラに用いられ、該カメラに装填された写真フィルムのフィルム感度をパトローネに設けられたＣＡＳコード部にアクセスして判断するフィルム感度自動検知装置であって、
写真フィルムがカメラに装填されると、前記ＣＡＳコード部に軸方向に沿って配列された第１番目から第６番目のコード領域のうち、パトローネからのフィルム巻取軸の突出端側から数えて第３番目及び第４番目の第３コード領域及び第４コード領域にそれぞれ接するように設置された第１及び第２電気接点と、
前記第１電気接点と前記第２電気接点との導通状態を判断して、前記第１電気接点と前記第２電気接点とが非導通である場合には、ＩＳＯ１６００未満のフィルム感度に対応する低感度検知状態となり、前記第１電気接点と前記第２電気接点とが導通している場合には、ＩＳＯ１６００以上のフィルム感度に対応する高感度検知状態となる感度検知手段と、
を有することを特徴とするフィルム感度自動検知装置。
【請求項３】
請求項１又は２記載のフィルム感度自動検知装置と、
前記感度検知手段が前記低感度検知状態及び前記高感度検知状態の何れであるかに応じて写真フィルムに対する撮影時の露光条件を切り替える露光条件切替手段と、
を有することを特徴とするカメラ。
【発明の詳細な説明】
【０００１】
【発明が属する産業分野】
本発明は、パトローネに収容された写真フィルムのカメラへの装填に伴って写真フィルムのフィルム感度（ＩＳＯ感度）を自動検知するためのフィルム感度自動検知装置及び、このフィルム感度自動検知装置を備えたカメラに関する。
【０００２】
【従来の技術】
先ず、ＣＡＳ（Ｃａｍｅｒａ　Ａｕｔｏ−ｓｅｎｓｉｎｇ　Ｃｏｄｅ）コード部について説明すると、ＣＡＳコード部は、パトローネ表面に設けられた１２個のコード領域を有しており、これらのうち２領域がグランド、５領域がフィルム感度、３領域がフィルム枚数及び２領域がラチチュードを表している。ここで、フィルム感度は、実際には、１個のグランド領域を含む全体として６個のコード領域により表されており、これら６個のコード領域における任意のコード領域は、それぞれパトローネ内に収容された写真フィルムのフィルム感度に応じて他のコード領域と導通状態又は非導通状態となるような構造とされている。そして、ＣＡＳコード部におけるフィルム感度を示す６個のコード領域の導通状態は、下記（表１）に示すような構成となっている。
【０００３】
【表１】
2004038057.tif 000003
なお、表１中のＥ１からＥ６は、パトローネにおけるフィルム巻取軸の突出端側から数えて何番目に各コード領域が位置するかを示すものであり、以下、Ｅ１を第１コード領域、Ｅ２を第２コード領域、Ｅ３を第３コード領域、Ｅ４を第４コード領域、Ｅ５を第５コード領域、Ｅ６を第６コード領域とそれぞれ呼ぶ。また、表１における第１〜第６コード領域及びフィルム感度に対応する各欄に印字された記号のうち、“〇”は導通領域を、“×”は非導通領域をそれぞれ示している。またＳＶに対応する各欄に印字された数値はＡＰＥＸ方式によるフィルム感度を示している。このようなフィルム情報コード部からフィルム感度を自動的に検知する場合、第１コード領域から第６コード領域の全てに対応する電気接点を設ければ（表１）に示された全ての感度を誤り無く検知できる。
【０００４】
ところで、最近までは、一般的な用途に用いられる写真フィルムとしては、感度がＩＳＯ１００からＩＳＯ４００のものが多く、広範に使用されているフィルムは、事実上、ＩＳＯ１００及びＩＳＯ４００の２種類であるといっても良かった。このことから、ＡＥ機能等のフルレンジでの露光条件の切替機能が無いが、２段階で露光条件の切り替えが可能な低価格帯のカメラでは、第１コード領域と第４コード領域間に２個の電気接点をそれぞれ接触させ、これらの電気接点間の導通状態を検知することで、写真フィルムが低感度側（ＩＳＯ１００）であるか、高感度側（ＩＳＯ４００）を判断し、この判断に応じて絞り又はシャッタースピードを制御することにより露光条件を２段階で切り替えている。
【０００５】
しかし、近年、写真フィルムの高性能化及び高感度化に伴い、ＩＳＯ８００、ＩＳＯ１６００等の高感度の写真フィルムも一般的になってきた。このことから、ＩＳＯ８００、ＩＳＯ１６００等の高感度の写真フィルムを従来の露光条件を２段階に切り替えるカメラへ装填すると、カメラが露光条件を高感度側に切り替えても、晴れた夏の海岸や晴れたスキー場等の高輝度の撮影条件下で撮影を行った場合には、写真フィルムに対する露光がフィルムラチチュードを大幅に超過したものになって完全な失敗（露光オーバー）写真になってしまう。
【０００６】
そこで、２段階で露光条件の切り替えが可能なカメラでは、写真フィルムの感度がＩＳＯ８００未満であるか、ＩＳＯ８００以上であるかに応じて露光条件を切り替えることが考えられる。
【０００７】
【発明が解決しようとする課題】
しかし、写真フィルムの感度がＩＳＯ８００未満であるか、ＩＳＯ８００以上であるかを検知しようとする場合、第１コード領域をコモン領域とする通常の検知方法では、少なくとも第１コード領域、第３コード領域及び第４コード領域にそれぞれ電気接点を接触させ、第３コード領域と第１コード領域との導通状態（閉又は開）を判断すると同時に、第４コード領域と第１コード領域との導通状態（閉又は開）を判断する感度検知用の電気回路が必要となる。このため、このようなカメラでは、ＩＳＯ４００未満又はＩＳＯ４００以上を検知するものに比較し、フィルム感度を検知するための電気回路等の構造が複雑になって、製造コストが高くなってしまう。
【０００８】
本発明の一の目的は、上記事実を考慮して、カメラに写真フィルムが装填されると、その写真フィルムの感度がＩＳＯ８００未満であるかＩＳＯ８００以上であるか、又はＩＳＯ１６００未満であるかＩＳＯ１６００以上であるかを確実に判断でき、しかもフィルム感度を判断するための構造を大幅に簡略化できるフィルム感度自動検知装置を提供することにある。
【０００９】
また本発明の他の目的は、上記事実を考慮して、フィルム感度がＩＳＯ８００又はＩＳＯ１６００を超えた高感度の写真フィルムが装填された場合に、撮影が高輝度の条件下で行われても、高感度の写真フィルムに対する露光条件を、フィルムラチチュードから大幅に外れないように２段階に切り替えることができるカメラを提供することにある。
【００１０】
【課題を解決するための手段】
本発明に係る請求項１記載のフィルム感度自動検知装置は、写真フィルムをパトローネ内に収容したフィルムパッケージが装填可能とされたカメラに用いられ、該カメラに装填された写真フィルムのフィルム感度をパトローネに設けられたＣＡＳコード部にアクセスして検知するフィルム感度自動検知装置であって、フィルムパッケージがカメラに装填されると、前記ＣＡＳコード部に軸方向に沿って配列された第１番目から第６番目のコード領域のうち、パトローネからのフィルム巻取軸の突出端側から数えて第２番目、第３番目及び第４番目の第２コード領域、第３コード領域及び第４コード領域にそれぞれ接するように設置された第１、第２及び第３電気接点と、前記第１電気接点及び前記第２電気接点の双方に導通した共通導電部と、前記共通導電部と前記第３電気接点との導通状態を判断して、前記共通導電部と前記第３電気接点とが非導通である場合には、ＩＳＯ８００未満のフィルム感度に対応する低感度検知状態となり、前記共通導電部と前記第３電気接点とが導通している場合には、ＩＳＯ８００以上のフィルム感度に対応する高感度検知状態となる感度検知手段と、を有することを特徴とする。
【００１１】
上記請求項１記載のフィルム感度自動検知装置によれば、フィルムパッケージがカメラに装填されると、第１電気接点、第２電気接点及び第３電気接点がＣＡＳコード部における第２コード領域、第３コード領域及び第４コード領域にそれぞれ接すると共に、感度検知手段が、共通導電部と第３電気接点との導通状態を判断し、共通導電部と第３電気接点とがＣＡＳコード部を介して絶縁されている場合には、ＩＳＯ８００未満のフィルム感度に対応する低感度検知状態となり、また共通導電部と第３電気接点とがＣＡＳコード部を介して導通している場合には、ＩＳＯ８００以上のフィルム感度に対応する高感度検知状態となることにより、感度検知手段により共通導電部と第３電気接点との間の導通状態を判断させ、この感度検知手段が低感度検知状態及び高感度検知状態の何れであるかを識別するだけで、カメラに装填された写真フィルムのフィルム感度がＩＳＯ８００未満であるか、ＩＳＯ８００以上であるかを確実に検知できる。
【００１２】
従って、第１コード領域と第３コード領域との導通状態及び、第１コード領域と第４コード領域との導通状態をそれぞれ判断して、フィルム感度がＩＳＯ８００未満であるか、ＩＳＯ８００以上であるかを検知する従来のフィルム感度自動検知装置と比較し、電気的回路等から構成される感度検知手段の構造を簡略化にできる。
【００１３】
また、第１電気接点と第２電気接点がＣＡＳコード部における互いに隣接するコード領域にそれぞれ当接することから、これらの第１電気接点及び第２電気接点と共通導電部とを単一の部品として一体化することも簡単になるので、これら第１電気接点及び第２電気接点と共通導電部とを一体化すれば、装置の構成部品の点数を減少してコスト低減が可能になる。
【００１４】
本発明に係る請求項２記載のフィルム感度自動検知装置は、写真フィルムをパトローネ内に収容したフィルムパッケージが装填可能とされたカメラに用いられ、該カメラに装填された写真フィルムのフィルム感度をパトローネに設けられたＣＡＳコード部にアクセスして判断するフィルム感度自動検知装置であって、写真フィルムがカメラに装填されると、前記ＣＡＳコード部に軸方向に沿って配列された第１番目から第６番目のコード領域のうち、パトローネからのフィルム巻取軸の突出端側から数えて第３番目及び第４番目の第３コード領域及び第４コード領域にそれぞれ接するように設置された第１及び第２電気接点と、前記第１電気接点と前記第２電気接点との導通状態を判断して、前記第１電気接点と前記第２電気接点とが非導通である場合には、ＩＳＯ１６００未満のフィルム感度に対応する低感度検知状態となり、前記第１電気接点と前記第２電気接点とが導通している場合には、ＩＳＯ１６００以上のフィルム感度に対応する高感度検知状態となる感度検知手段と、を有することを特徴とする。
【００１５】
上記請求項２記載のフィルム感度自動検知装置によれば、フィルムパッケージがカメラに装填されると、第１電気接点及び第２電気接点がＣＡＳコード部における第３コード領域及び第４コード領域にそれぞれ接すると共に、感度検知手段が、第１電気接点と第２電気接点との間の導通状態を判断して、第１電気接点と第２電気接点とが非導通である場合には、ＩＳＯ１６００未満のフィルム感度に対応する低感度検知状態となり、第１電気接点と第２電気接点とが導通している場合には、ＩＳＯ１６００以上のフィルム感度に対応する高感度検知状態となることにより、感度検知手段により第１電気接点と第２電気接点との間の導通状態を判断させ、導通状態を判断した感度検知手段が低感度検知状態及び高感度検知状態の何れであるかを識別するだけで、カメラに装填された写真フィルムのフィルム感度がＩＳＯ１６００未満であるか、ＩＳＯ１６００以上であるかを確実に検知できる。
【００１６】
従って、第１コード領域と第３コード領域との導通状態及び第１コード領域と第４コード領域との導通状態をそれぞれ判断して、フィルム感度がＩＳＯ１６００未満であるか、ＩＳＯ１６００以上であるかを検知する従来のフィルム感度自動検知装置と比較し、電気接点等の装置構成部品の個数を減少でき、かつ電気的回路等から構成される感度検知手段の構造も簡略化できる。
【００１７】
本発明の請求項３記載のカメラは、請求項１又は２記載のフィルム感度自動検知装置と、前記感度検知手段が前記低感度検知状態及び前記高感度検知状態の何れであるかに応じて写真フィルムに対する撮影時の露光条件を切り替える露光条件切替手段と、を有することを特徴とする。
【００１８】
上記請求項３記載のカメラでは、フィルム感度自動検知装置として請求項１記載のものを有する場合には、露光条件切替手段が感度検知手段の検知状態に応じて写真フィルムに対する撮影時の露光条件を切り替えることにより、カメラに装填された写真フィルムのフィルム感度がＩＳＯ８００未満であるか、フィルム感度がＩＳＯ８００以上であるかに応じて、写真フィルムに対する撮影時の露光条件が２段階に切り替えられる。
【００１９】
図８を参照して、写真フィルムに対する露光条件を上記のように切り替える場合の作用について説明する。図８は写真フィルムに対する露光条件を一定にした場合における、輝度（ＬＶ）と写真フィルムに対する撮影時の露光量と適正露光量との差（ΔＥＶ）との関係を示している。また図８にて、破線により囲まれた楕円状の領域ＯＶは写真フィルムのフィルムラチチュードを大幅に越える、すなわち完全な露光オーバーとなる領域を示している。この図８では露光条件が、ＩＳＯ４００の写真フィルムを用いた場合、ＬＶ１５を超えるような極端な高輝度条件下を除いて露光オーバーにならないような設定とされている。このような露光条件を設定した場合には、ＩＳＯ８００以上の高感度写真フィルムについては、ＬＶ１３程度以上の比較的広い輝度条件（高輝度条件）下で全て領域ＯＶに入ってしまい、高輝度条件下での適正に撮影が行えなくなる。
【００２０】
そこで、近年、ＩＳＯ８００、ＩＳＯ１６００等の写真フィルムの使用が一般化してきたことを考慮すると、２段階で写真フィルムに対する露光条件を切り替えるカメラでは、写真フィルムのフィルム感度がＩＳＯ８００未満であるか、フィルム感度がＩＳＯ８００以上であるかに応じて、写真フィルムに対する露光条件を切り替えれば、ＬＶ１３程度以上の高輝度条件下でも、フィルムラチチュードを大幅に越えることを効果的に防止できる。
【００２１】
また将来的には、ＩＳＯ１６００、ＩＳＯ３２００等の超高感度写真フィルムの使用が一般化することが考えられるため、このような超高感度の写真フィルムの使用が一般化した場合には、２段階で写真フィルムに対する露光条件を切り替えるカメラでは、フィルム感度自動検知装置として請求項２記載のものを用い、感度検知手段の検知状態に応じて、写真フィルムに対する露光条件を切り替えれば、ＬＶ１３程度以上の高輝度条件でも、ＩＳＯ１６００以上の写真フィルムに対する撮影時に、フィルムラチチュードを大幅に越えることを効果的に防止できる。
【００２２】
【発明の実施の形態】
以下、本発明の実施形態に係るフィルム感度自動検知装置及びこのフィルム感度自動検知装置が適用されたカメラについて図面を参照して説明する。
【００２３】
（第１の実施形態）
図１から図３には本発明の第１の実施形態に係るフィルム感度検知機構が適用されたカメラの構成が示されている。このカメラ１０は、１３５（３５ｍｍ）サイズの写真フィルム１２に対して撮影を行うためのものであり、写真フィルム１２のフイルム感度に応じて露光条件が２段階に自動的に切替可能とされている。
【００２４】
カメラ１０は、筐体状の本体部１４及び、この本体部１４の前面部に配置されたレンズ部１５を備えており、本体部１４には、後面部へ開放したフィルム装填室１６及び、このフィルム装填室１６の開口部を開閉する開閉蓋２４（図３参照）が設けられている。フィルム装填室１６にはフィルムパッケージ１８が装填とされている。フィルムパッケージ１８は略円筒状のパトローネ２０を備えており、このパトローネ２０内には、フィルム巻取軸２８によりロール状に巻き取られた写真フィルム１２が収容されている。カメラ１０では、フィルム装填室１６内にフィルムパッケージ１８が挿入され、開閉蓋２４によりフィルム装填室１６の開口部が閉鎖されることにより、フィルムパッケージ１８の装填が完了し、フィルムパッケージ１８の写真フィルム１２に対する撮影が可能になる。
【００２５】
図４に示されるように、フィルムパッケージ１８には、パトローネ２０の外周面に写真フィルム１２のフィルム感度、フィルム枚数及びラチチュード情報を識別するためのＣＡＳコード部２６が設けられている。ここで、ＣＡＳコード部２６を構成する１２個のコード領域のうち、紙面左側のパトローネ２０の軸方向（矢印Ｌ方向）に沿って配列された６個のコード領域Ｅ１〜Ｅ６は、フィルム感度を識別するためのものである。コード領域Ｅ１〜Ｅ６はそれぞれ導通領域及び非導通領域の何れかとして形成されており、これらの導通領域及び非導通領域を前述した（表１）に示されるようなパターンに配置することで、写真フィルム１２のフィルム感度を表している。
【００２６】
なお、６個のコード領域Ｅ１〜Ｅ６は、それぞれの区別を容易にするため、フィルム巻取軸２８のパトローネ２０からの突出端２８Ａから数えて１番目のコード領域Ｅ１を第１コード領域、２番目のコード領域Ｅ２を第２コード領域、３番目のコード領域Ｅ３を第３コード領域、４番目のコード領域Ｅ４を第４コード領域、５番目のコード領域Ｅ５を第５コード領域、６番目のコード領域Ｅ６を第６コード領域と呼称する。
【００２７】
図５に示されるように、カメラ１０には、フィルムパッケージ１８におけるＣＡＳコード部２６にアクセスすることにより、写真フィルム１２のフィルム感度を検知するためのフィルム感度検知機構３０及び、このフィルム感度検知機構３０により検知されたフィルム感度に応じて写真フィルム１２に対する撮影時の露光条件を２段階に切り替える露光条件切替部３２が設けられている。
【００２８】
図１及び図５に示されるように、フィルム感度検知機構３０は、それぞれ導電性材料を素材として板ばね状に成形された第１電気接点３４、第２電気接点３６及び第３電気接点３８を備えており、これらの電気接点３４，３６，３８は、それぞれ基端側が本体部１４におけるフィルム装填室１６の外周側に設けられた基台部（図示省略）にビス等により固定されている。また本体部１４には、フィルム装填室１６に面して開口する開口部１７が形成されており、３個の電気接点３４，３６，３８は、それぞれ開口部１７を通して先端側がフィルム装填室１６内に延出するように、基台部により片持ち状態に支持されている。ここで、電気接点３４，３６，３８は厚さ方向に沿って撓み変形可能とされており、その先端部には、フィルム装填室１６に装填されたフィルムパッケージ１８のＣＡＳコード部２６に正対するように半球突起状の圧接部３４Ａ，３６Ａ，３８Ａが形成されている。
【００２９】
図３に示されるように、フィルムパッケージ１８がフィルム装填室１６に装填されると、電気接点３４，３６，３８はパトローネ２０からの押圧力により撓み変形しつつ、この撓み変形に伴う復元力により圧接部３４Ａ，３６Ａ，３８ＡをＣＡＳコード部２６におけるコード領域Ｅ２，Ｅ３，Ｅ４にそれぞれ圧接させる。ここで、第１電気接点３４と第２電気接点３６とは、図５に示されるように、共通ケーブル４４により互いに接続されて短絡状態とされている。
【００３０】
一方、露光条件切替部３２には、図５に示されるようにアクチュエータ４０が設けられており、このアクチュエータ４０はレンズ部１５から写真フィルム１２への入射光量を調整するための絞り機構４２に連結されている。この絞り機構４２はレンズ部１５に配置されており、レンズ部１５に対する絞り状態を低感度（ＩＳＯ８００未満）の写真フィルム１２に対応する開放絞りレベル（Ｌレベル）と、高感度（ＩＳＯ８００以上）の写真フィルム１２に対応する小絞りレベル（Ｈレベル）との何れかに切り替える。すなわち、絞り機構４２は、Ｌレベルとされた場合には、Ｈレベルの場合よりも相対的に写真フィルム１２への入射光量を増加させ、またＨレベルとされた場合には、Ｌレベルの場合よりも相対的に写真フィルム１２への入射光量を減少させる。またアクチュエータ４０は、例えば、電磁ソレノイドにより構成されており、その駆動部によりオン状態では絞り機構をＨレベルに切り替えし、オフ状態では絞り機構４２をＬレベルに復帰させる。
【００３１】
図５に示されるように、フィルム感度検知機構３０には、共通ケーブル４４をアクチュエータ４０へ接続する給電ケーブル４６と、第３電気接点３８をアクチュエータ４０へ接続する給電ケーブル４８とが設けられている。ここで、給電ケーブル４６には、共通ケーブル４４とアクチュエータ４０との間に連動スイッチ５０が配置され、また給電ケーブル４８には、第３電気接点３８とアクチュエータ４０との間に直流電源５２が配置されている。連動スイッチ５０は、カメラ１０におけるレリーズ動作に連動してオンし、レリーズ動作の終了に連動してオフ、すなわちカメラ１０による撮影時にのみオンする。
【００３２】
なお、第１電気接点３４と第２電気接点３６は１枚の金属板により一体的に成形し、この電気接点３４，３６に直接、給電ケーブル４６の一端を接続するようにしても良い。
【００３３】
上記のように構成されたフィルム感度検知機構３０は、第２コード領域Ｅ２及び第３コード領域Ｅ３の少なくとも一方が導通領域であって、かつ第４コード領域Ｅ４も導通領域である場合にのみ、撮影時に直流電源５２により直流電流を供給してアクチュエータ４０をオン状態とする。それ以外の場合、すなわち、第２コード領域Ｅ２及び第３コード領域Ｅ３の双方が非導通領域である場合、又は第４コード領域が非導通領域である場合には、撮影時に直流電源５２による電流供給を停止してアクチュエータ４０をオフ状態とする。これにより、（表１）から明らかなように、カメラ１０に装填された写真フィルム１２のフィルム感度がＩＳＯ８００未満である場合には、絞り機構４２は撮影時にＬレベルに保たれ、またカメラ１０に装填された写真フィルム１２のフィルム感度がＩＳＯ８００以上である場合には、絞り機構４２は撮影時にＨレベルに切り替えられる。
【００３４】
なお、写真フィルム１２のフィルム感度に応じて露光条件を手動操作により切り替えるカメラにフィルム感度検知機構３０を適用する場合には、図６に示されるように、連動スイッチ５０の変わりにアラーム表示用の発光素子５４を設けると共に、アクチュエータ４０の代わりに露光条件に対する切替スイッチ５６のスイッチング動作に連動してオン／オフする連動スイッチ５８を設けるようにしても良い。図６に示されるフィルム感度検知機構３０が適用されたカメラでは、撮影者が切替スイッチ５６によりフィルム感度に対応しない露光条件を設定した場合には、発光素子５４が発光することで切替スイッチ５６の設定が誤っていることを撮影者へ表示するので、フィルム感度に対応しない誤った露光条件で撮影が行われることを防止できる。
【００３５】
（第２の実施形態）
次に、本発明の第２の実施形態に係るフィルム感度検知機構について説明する。この第２の実施形態に係るフィルム感度検知機構６０は、第１の実施形態に係るフィルム感度検知機構３０に代えてカメラ１０（図１〜図３参照）に適用されるものである。なお、このフィルム感度検知機構６０において、第１の実施形態に係るフィルム感度検知機構３０と構成及び作用が共通の部材に同一符合を付して説明を省略する。
【００３６】
図７に示されるように、フィルム感度検知機構６０は、それぞれ導電性材料を素材として板ばね状に成形された第１電気接点６０及び第２電気接点６２を備えており、これらの電気接点６０，６２の先端部には、フィルム装填室１６に装填されたフィルムパッケージ１８のＣＡＳコード部２６に正対するように半球突起状の圧接部６２Ａ，６４Ａが形成されている。これらの電気接点６０，６２は、フィルムパッケージ１８がフィルム装填室１６に装填されると、圧接部６２Ａ，６４ＡをＣＡＳコード部２６におけるコード領域Ｅ３，Ｅ４にそれぞれ圧接させる。
【００３７】
フィルム感度検知機構６０には、第１電気接点６０をアクチュエータ４０へ接続する給電ケーブル６６と、第２電気接点６２をアクチュエータ４０へ接続する給電ケーブル６８とが設けられている。ここで、給電ケーブル６６には、第１電気接点６０とアクチュエータ４０との間に連動スイッチ５０が配置され、また給電ケーブル６８には、第２電気接点３８とアクチュエータ４０との間に直流電源５２が配置されている。
【００３８】
上記のように構成されたフィルム感度検知機構６０は、第３コード領域Ｅ３及び第４コード領域Ｅ４の双方が導通領域である場合にのみ、撮影時に直流電源５２により直流電流を供給してアクチュエータ４０をオン状態とする。それ例外の場合、すなわち、第３コード領域Ｅ３及び第４コード領域の少なくとも一方が非導通領域である場合には、撮影時に直流電源５２による電流供給を停止してアクチュエータ４０をオフ状態とする。これにより、（表１）から明らかなように、カメラ１０に装填された写真フィルム１２のフィルム感度がＩＳＯ１６００未満である場合には、絞り機構４２は撮影時にＬレベルに保たれ、またカメラ１０に装填された写真フィルム１２のフィルム感度がＩＳＯ１６００以上である場合には、絞り機構４２は撮影時にＨレベルに切り替えられる。
【００３９】
【実施例】
本発明の第１の実施形態に係るフィルム感度検知機構３０をカメラ１０に適用し、露光条件をフィルム感度に応じて切り替えた場合を実施例とし、従来のフィルム感度検知機構をカメラ１０に適用し、露光条件（絞り値）をフィルム感度に応じて切り替えた場合を比較例としてそれぞれ説明する。
【００４０】
（表２）には、従来のフィルム感度検知機構が適用されたカメラにおけるフィルム感度に対応する露光条件の設定が示されている。この従来のフィルム感度検知機構は、フィルム感度がＩＳＯ４００未満であるか、ＩＳＯ４００以上であるか検知するものであり、現在、ＩＳＯ４００未満の写真フィルムとしては、ＩＳＯ１００、ＩＳＯ２００のものが一般的に流通し、またＩＳＯ４００以上の写真フィルムとしては、ＩＳＯ４００、ＩＳＯ８００、ＩＳＯ１６００のものが一般的に流通している。
【００４１】
【表２】
2004038057.tif 000004
（表２）に示されるＬレンジの露光条件はＩＳＯ１００をフィルム感度の中心感度として設定され、またＨレンジの露光条件はＩＳＯ４００をフィルム感度の中心感度として設定されたものである。
【００４２】
上記（表２）に示される露光条件にて、カメラにＩＳＯ１００、ＩＳＯ２００、ＩＳＯ４００、ＩＳＯ８００及びＩＳＯ１６００の写真フィルムをそれぞれ装填して撮影した場合の写真フィルムに露光状態を下記（表３）に示す。なお、（表３）において、ＬＶ１１以下の撮影条件では、必要に応じてカメラに設けられたフラッシュが発光する。
【００４３】
【表３】
2004038057.tif 000005
上記（表３）に示された“Ｍ”は写真フィルムに対する露光量が適正である場合を、“Ｌ”は写真フィルムに対する露光量が適正量に対して若干不足している場合を、“ＬＬ”は写真フィルムに対する露光量が適正量に対して不足している場合を、“Ｈ”は写真フィルムに対する露光量が適正量に対して若干過剰である場合を、“ＨＨ”は写真フィルムに対する露光量が適正量に対して過剰である場合を、“ＨＨＨ”は写真フィルムに対する露光量が適正量に対して大幅に過剰である場合を、それぞれ示している。
【００４４】
（表３）から明らかなように、従来のフィルム感度検知機構によりフィルム感度がＩＳＯ４００未満であるか、ＩＳＯ４００以上であるか検知し、検知されたフィルム感度に応じて露光条件を２段階に切り替えた場合には、ＩＳＯ１６００の写真フィルムにＬＶ１５付近の輝度にて撮影すると、写真フィルムに対する露光量が大幅に過剰になって完全な失敗（過度の露光オーバー）写真になってしまう。
【００４５】
また（表４）には、本発明の第１の実施形態に係るフィルム感度検知機構３０が適用されたカメラにおけるフィルム感度に対応する露光条件の設定が示されている。フィルム感度検知機構３０は、フィルム感度がＩＳＯ８００未満であるか、ＩＳＯ８００以上であるか検知するものであり、現在、ＩＳＯ８００未満の写真フィルムとしては、ＩＳＯ１００、ＩＳＯ２００、ＩＳＯ４００のものが一般的に流通し、またＩＳＯ８００以上の写真フィルムとしては、ＩＳＯ８００、ＩＳＯ１６００のものが一般的に流通している。
【００４６】
【表４】
2004038057.tif 000006
（表４）に示されるＬレンジの露光条件はＩＳＯ２００をフィルム感度の中心感度として設定され、またＨレンジの露光条件はＩＳＯ８００をフィルム感度の中心感度として設定されたものである。
【００４７】
上記（表４）に示される露光条件にて、カメラにＩＳＯ１００、ＩＳＯ２００、ＩＳＯ４００、ＩＳＯ８００及びＩＳＯ１６００の写真フィルムをそれぞれ装填して撮影した場合の写真フィルムに露光状態を下記（表５）に示す。なお、（表５）において、ＬＶ１１以下の撮影条件では、適宜、必要に応じてカメラに設けられたフラッシュが発光する。
【００４８】
【表５】
2004038057.tif 000007
上記（表５）に示された“Ｍ”、“Ｌ”、“ＬＬ”、“Ｈ”、“ＨＨ”及び“ＨＨＨ”の意味は、（表３）に示されたものとそれぞれ同様である。（表５）から明らかなように、第１の実施形態に係るフィルム感度検知機構３０によりフィルム感度がＩＳＯ８００未満であるか、ＩＳＯ８００以上であるか検知し、検知されたフィルム感度に応じて露光条件を２段階に切り替えた場合には、ＩＳＯ１６００の写真フィルムにＬＶ１５付近の輝度にて撮影しても、この写真フィルムに対する露光量が大幅に過剰にならず、完全な失敗（過度の露光オーバー）写真になることを効果的に防止できる。さらに、ＬＶ１３以上の高輝度の撮影条件で、ＩＳＯ８００、ＩＳＯ１６００等の高感度写真フィルムに撮影を行った場合でも、（表３）の場合と比較して写真フィルムに対する露光量を適正量に近づけることが可能になり、撮影された写真の画質を向上できる。
【００４９】
以上説明した本発明の第１の実施形態に係るフィルム感度検知機構３０によれば、電気接点３４，３６に導通した共通ケーブル４４と第３電気接点３８との導通状態を判断し、共通ケーブル４４と第３電気接点３８とが非導通状態である場合、すなわちフィルム感度が８００未満である場合には、露光条件切替部３２のアクチュエータ４０に電流を供給しない低感度検知状態となり、また共通ケーブル４４と第３電気接点３８とが導通状態である場合、すなわちフィルム感度が８００以上である場合には、露光条件切替部３２のアクチュエータ４０に電流を供給する高感度検知状態となるので、第１コード領域Ｅ１と第３コード領域Ｅ３との導通状態及び、第１コード領域Ｅ１と第４コード領域Ｅ４との導通状態をそれぞれ判断して、フィルム感度がＩＳＯ８００未満であるか、ＩＳＯ８００以上であるかを検知する従来のフィルム感度自動検知装置と比較し、フィルム感度検知機構３０及び露光条件切替部３２の構造を大幅に簡略化にできる。
【００５０】
また、本発明の第２の実施形態に係るフィルム感度検知機構６０をカメラ１０に適用することにより、カメラ１０に装填された写真フィルム１２のフィルム感度が１６００未満であるか、１６００以上であるかを確実に検知できるので、フィルム感度検知機構６０により検知されたフィルム感度に応じて２段階で写真フィルム１２に対する露光条件を切り替えれば、ＩＳＯ１６００、ＩＳＯ３２００等の超高感度写真フィルム１２の使用が一般化した場合、ＬＶ１３程度以上の高輝度条件でも、ＩＳＯ１６００以上の写真フィルム１２に対する撮影時に、フィルムラチチュードを大幅に越えることを効果的に防止でき、かつ従来のフィルム感度自動検知装置と比較し、フィルム感度検知機構６０及び露光条件切替部３２の構造を大幅に簡略化にできる。
【００５１】
なお、本実施形態に係るカメラ１０では、露光条件切替部３２により絞り機構４２の絞り値を２段階で切り替えて写真フィルム１２に対する露光条件を変更していたが、絞り値を切り替える代わりに、フィルム感度検知機構３０，６０により検知されたフィルム感度に応じてシャッタースピードを２段階に切り替え、写真フィルム１２に対する露光条件を変更するようにしても良い。
【００５２】
【発明の効果】
以上説明したように、本発明のフィルム感度自動検知装置によれば、カメラに写真フィルムが装填されると、その写真フィルムの感度がＩＳＯ８００未満であるかＩＳＯ８００以上であるか、又はＩＳＯ１６００未満であるかＩＳＯ１６００以上であるかを確実に判断でき、しかもフィルム感度を判断するための構造を大幅に簡略化できる。
【００５３】
また本発明のカメラによれば、フィルム感度がＩＳＯ８００又はＩＳＯ１６００を超えた高感度の写真フィルムが装填された場合に、撮影が高輝度の条件下で行われても、高感度の写真フィルムに対する露光条件を、フィルムラチチュードから大幅に外れないように２段階に切り替えることができる。
【図面の簡単な説明】
【図１】本発明の実施形態に係るフィルム感度検知機構が適用されたカメラの構成を示す斜視図である。
【図２】本発明の実施形態に係るフィルム感度検知機構が適用されたカメラの構成を示す側面断面図であり、フィルムパッケージが装填される直前の状態を示している。
【図３】本発明の実施形態に係るフィルム感度検知機構が適用されたカメラの構成を示す側面断面図であり、フィルムパッケージが装填された状態を示している。
【図４】図１に示されるカメラに装填されるフィルムパッケージの構成を示す斜視図である。
【図５】本発明の第１の実施形態に係るフィルム感度検知機構の構成を示すブロック図である。
【図６】本発明の第１の実施形態に係るフィルム感度検知機構の変形例の構成を示すブロック図である。
【図７】本発明の第２の実施形態に係るフィルム感度検知機構の構成を示すブロック図である。
【図８】写真フィルムに対する露光条件を一定にした場合における、輝度（ＬＶ）と撮影時の露光量と適正露光量との差（ΔＥＶ）との関係を示す特性図である。
【符号の説明】
１０　　　カメラ
１２　　　写真フィルム
１６　　　フィルム装填室
１８　　　フィルムパッケージ
２０　　　パトローネ
２６　　　ＣＡＳコード部
２８　　　フィルム巻取軸
２８Ａ　　突出端
３０　　　フィルム感度検知機構（フィルム感度検知装置）
３２　　　露光条件切替部（露光条件切替手段）
３４　　　第１電気接点
３６　　　第２電気接点
３８　　　第３電気接点
４０　　　アクチュエータ（露光条件切替手段）
４２　　　絞り機構
４４　　　共通ケーブル（共通導電部）
４６　　　給電ケーブル（感度検知手段）
４８　　　給電ケーブル（感度検知手段）
５０　　　連動スイッチ（感度検知手段）
５２　　　直流電源（感度検知手段）
６０　　　フィルム感度検知機構（フィルム感度検知装置）
６０　　　第１電気接点
６２　　　第２電気接点
６６　　　給電ケーブル（感度検知手段）
６８　　　給電ケーブル（感度検知手段）
Ｅ１　　　第１コード領域
Ｅ２　　　第２コード領域
Ｅ３　　　第３コード領域
Ｅ４　　　第４コード領域
Ｅ５　　　第５コード領域
Ｅ６　　　第６コード領域
【図１】
2004038057.tif 000008
【図２】
2004038057.tif 000009
【図３】
2004038057.tif 000010
【図４】
2004038057.tif 000011
【図５】
2004038057.tif 000012
【図６】
2004038057.tif 000013
【図７】
2004038057.tif 000014
【図８】
2004038057.tif 000015